(57)【要約】【課題】制御装置の交換時に、水位検出部が接続されているかどうかの判定のための自動風呂装置の運転が不要となる、メンテナンス時に施工者の作業時間を短縮することのできる自動風呂装置を提供すること。【解決手段】浴槽内の水位を検出する水位検出部２と、水位検出部２により設定される設定水位まで湯張りするのに必要な給湯量を演算する制御部５と、制御部５の制御に必要なデータを記憶する第１の記憶部６、第２の記憶部７と、制御部５と第１の記憶部６とから構成される制御装置１０とを備え、制御装置１０の交換の際には、第２の記憶部７が保有するデータを交換後の第１の記憶部６に転送するとともに、制御部５において水位検出部２で検出された値より水位の算出を行ない、算出された値が所定値内の場合には水位検出部２が接続されていると判定し、所定値外であった場合には水位検出部２が非接続であると判定する判定モードを有する自動風呂装置。【選択図】図１
2012067949.tif 000002
【特許請求の範囲】
【請求項１】
給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記制御部において前記水位検出部で検出された値より水位の算出を行ない、前記算出された値が所定値内の場合には水位検出部が接続されていると判定し、所定値外であった場合には前記水位検出部が非接続であると判定する判定モードを有することを特徴とする自動風呂装置。
【請求項２】
前記水位検出部の接続状態の判定する判定モードは、前記制御装置の交換後に自動で行なうことを特徴とする請求項１に記載の自動風呂装置。
【請求項３】
複数の運転モードを選択する操作部を備え、前記操作部で前記水位検出部の接続状態の判定する判定モードが選択された場合に、前記水位検出部の接続状態の判定を行うことを特徴とする請求項１に記載の自動風呂装置。
【発明の詳細な説明】
【技術分野】
【０００１】
本発明は、自動風呂装置に関するものである。
【背景技術】
【０００２】
従来、この種の自動風呂装置は、給湯器に接続されている浴槽の形状が様々であり、浴槽の形状を把握する必要があるため、自動風呂装置の第一回目の運転時には、水位検出部により検出される給湯口の水没する水位を第一の水位とし、前記第一の水位より所定の給湯量だけ給湯した後の水位を第二の水位とし、第一の水位と第二の水位との差を所定の給湯量で除算した値を浴槽断面積係数として記憶部に記憶し、以後の運転においては記憶部で記憶された浴槽断面積係数に基づき制御部にて設定水位までの必要給湯量を演算し、その演算結果に基づいた給湯量を浴槽へ供給する制御を行なっている（例えば、特許文献１参照）。
【０００３】
図２は、特許文献１に記載された従来の自動風呂装置を示すものである。図２に示すように、制御部１０５と、給湯口１０８と、記憶部１０６と、給湯部１０１と、水位検出部１０２とから構成されている。
【先行技術文献】
【特許文献】
【０００４】
【特許文献１】特開２００２−４８３９５号公報
【発明の概要】
【発明が解決しようとする課題】
【０００５】
しかしながら、前記従来の構成では、自動風呂装置に不具合が生じて制御装置のような記憶部を有する部品の交換が必要となった際、交換後の記憶部には浴槽断面係数の値が記憶されておらず、交換後は浴槽断面係数を決定するための運転を行なう必要があり、また、交換前の記憶部に記憶された浴槽断面係数の値を交換後の記憶部へ移植を行なったとしても、水位検出部が接続されているかどうかの判定のために自動風呂装置の運転が必要であり、結果、施工者は制御装置の交換であっても自動風呂装置の運転が終了するまで作業を完了できない、という課題を有していた。
【０００６】
本発明は、前記従来の課題を解決するもので、制御装置の交換時に、水位検出部が接続されているかどうかの判定のための自動風呂装置の運転が不要となる、メンテナンス時に施工者の作業時間を短縮することのできる自動風呂装置を提供することを目的とする。
【課題を解決するための手段】
【０００７】
前記従来の課題を解決するために、本発明の自動風呂装置は、給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記制御部において前記水位検出部で検出された値より水位の算出を行ない、前記算出された値が所定値内の場合には水位検出部が接続されていると判定し、所定値外であった場合には前記水位検出部が非接続であると判定する判定モードを有することを特徴とするものである。
【０００８】
これによって、制御装置の交換時に、水位検出部が接続されているかどうかの判定のための自動風呂装置の運転が不要となり、メンテナンス時に施工者の作業時間を短縮することのできる自動風呂装置を提供することが可能となる。
【発明の効果】
【０００９】
本発明によれば、メンテナンス時に施工者の作業時間を短縮することのできる自動風呂装置を提供できる。
【図面の簡単な説明】
【００１０】
【図１】本発明の実施の形態１における自動風呂装置の構成図
【図２】従来の自動風呂装置の構成図
【発明を実施するための形態】
【００１１】
第１の発明は、給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記制御部において前記水位検出部で検出された値より水位の算出を行ない、前記算出された値が所定値内の場合には水位検出部が接続されていると判定し、所定値外であった場合には前記水位検出部が非接続であると判定する判定モードを有することを特徴とする自動風呂装置である。
【００１２】
これにより、制御装置の交換時に、水位検出部が接続されているかどうかの判定のための自動風呂装置の運転が不要となる、メンテナンス時に施工者の作業時間を短縮することができる。
【００１３】
第２の発明は、特に、第１の発明の自動風呂装置において、水位検出部の接続状態の判定する判定モードは、制御装置の交換後に自動で行なうことにより、メンテナンス時に施工者は特別な作業をする必要がなくなり、更に作業時間を短縮することができる。
【００１４】
第３の発明は、特に、第１の発明の自動風呂装置において、複数の運転モードを選択する操作部を備え、前記操作部で前記水位検出部の接続状態の判定する判定モードが選択された場合に、前記水位検出部の接続状態の判定を行うことを特徴とするもので、通常の運転時において水位検出部に不具合が生じた場合に、水位検出部を取り外しすることなく、容易に水位検出部の接続状態を確認することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における自動風呂装置の制御ブロック図である。
【００１７】
図１において、給湯経路に設けられ浴槽９内の水位を検出する水位検出部２と、運運転の選択及び所望の湯張り水位を設定する操作部３と、水位検出部２により検出される現在水位から操作部３で設定される設定水位まで湯張りするのに必要な給湯量を演算する制御部５と、前記水位検出部により検出される現在水位から前記操作部で設定される設定水位まで湯張りするのに必要な給湯量を演算する制御部５と、前記制御部５の制御に必要なデータを記憶する第１の記憶部６、第２の記憶部７と、前記制御部５と前記第１の記憶部６
から構成される制御装置１０から自動風呂装置を構成している。
【００１８】
以上のように構成された自動風呂装置について、以下その動作、作用を説明する。
【００１９】
まず、自動風呂装置の設置後、風呂湯張り運転を起動し試運転を実行する。使用者は操作部３にて所望の水位を設定して使用する。設定水位は給湯口からの高さで表されるので、同じ設定水位であっても浴槽９の容量、形状により設定水位までの必要給湯量は異なる。そのため、機器が設置された第一回目の運転時に浴槽９の断面積あたりの給湯量すなわち、浴槽断面積係数を決定する。
【００２０】
この浴槽断面積係数を決定するための動作は、給湯を中断しながら水位検出部により水位を比較しながら行ない、湯張り完了するまでには時間を必要とするため、上記の浴槽断面積係数を決定するのは設置後第一回目の運転時のみ行い、決定された浴槽断面係数は第１の記憶部６と第２の記憶部７に記憶し、以降の運転時は第１の記憶部６に記憶した浴槽断面係数より必要湯量を計算して給湯する。
【００２１】
設置後第一回目以降の運転時に自動風呂装置に不具合が生じ制御装置１０が交換される場合、交換後の制御装置１０内の第１の記憶部６には浴槽断面係数が存在しないため、再び設置後第一回目の運転時と同様に浴槽断面係数を決定するための運転が必要となるが、第２の記憶部７が保有する浴槽断面係数を交換後の第１の記憶部６に転送することで、浴槽断面係数を決定するための運転が不要となる。
【００２２】
しかしながら、制御装置１０の交換される場合、浴槽断面係数の運転と同時に水位検出部２が接続されているかの確認も行なっているため、第２の記憶部７が保有する浴槽断面係数を交換後の第１の記憶部６に転送するだけでは水位検出部２が接続されているかの確認を行なうことができないため、制御装置１０の交換時に、制御装置１０内の制御部５において水位検出部２で検出された値より水位の算出を行なう。
【００２３】
制御装置１０の交換後、浴槽９へ給湯をしていない状態で制御部５において水位検出部２から検出された水位の算出を行なう。浴槽９には湯張りがされていないため、浴槽水位がない状態であるが、水位検出部２が接続されている場合、浴槽水位がない状態であっても、制御部５において水位検出部２で検出された値より水位の算出を行なった場合、ある所定値が検出されるため、その所定値内であった場合は水位検出部２が接続されていると判定する。
【００２４】
水位検出部２が接続されていない場合は、水位検出部２で検出された値が制御部５に送られないため、制御部５においては上記所定値外となるため、そのときには水位検出部２が非接続であると判定する。
【００２５】
以上のように、本実施の形態においては本発明の自動風呂装置は、給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記制御部において前記水位検出部で検出された値より水位の算出を行ない、前記算出された値が所定値内の場合には水位検出部が接続されていると判定し、所定値外であった場合には前記水位検出部が非接続であると判定する判定モードを有することにより、制御装置の交換時に、水位検出部が接続されているかどうかの判定のための自動風呂装置の運転が不要となり、メンテナンス時に施工者の
作業時間を短縮することのできる自動風呂装置を提供することができる。
【００２６】
また、本実施の形態において、水位検出部の接続状態の判定する判定モードは、制御装置の交換後に制御装置の運転と同時に自動で行なうことにより、メンテナンス時に施工者は特別な作業をする必要がなくなり、更に作業時間を短縮することができる。
【００２７】
また、本実施の形態において、複数の運転モードを選択する操作部を備え、前記操作部で水位検出部の接続状態の判定する判定モードが選択された場合は、水位検出部の接続状態の判定を実施することにより、通常の運転時において水位検出部に不具合が生じた場合に、水位検出部を取り外しすることなく、容易に水位検出部の接続状態を確認することができる。
【産業上の利用可能性】
【００２８】
以上のように、本発明にかかる自動風呂装置は、制御部と記憶部を有する制御装置の交換時に、自動風呂装置の運転が不要となるので、電気給湯機、ガス給湯機、石油給湯機、燃料電池など様々な給湯方式の用途に適用できる。
【符号の説明】
【００２９】
２  水位検出部
３  操作部
５  制御部
６  第１の記憶部
７  第２の記憶部
９  浴槽
１０  制御装置
【図１】
2012067949.tif 000003
【図２】
2012067949.tif 000004